(57)【要約】【課題】放熱パイプから庫内への熱の流入を抑えた冷蔵庫を提供する。【解決手段】冷蔵庫において、放熱パイプを開口周辺に配置された第１の放熱パイプ部と、側板内に配置された第２の放熱パイプ部とで構成し、前記第２の放熱パイプ部から前記第１の放熱パイプ部の順で冷媒を流す圧縮機とを備える。このようにすれば、圧縮機からながれでた温度の高い冷媒が冷蔵庫の側板内の第２の放熱パイプ部で冷却されてから、第１の放熱パイプ部に流れるので、この第１放熱パイプから冷蔵室Ｒ、野菜室Ｖ、製氷室Ｉ、温度切替室Ｓ、冷凍室Ｆに流入する熱を抑えることができる。【選択図】　　　　図１
2004037003.tif 000002
【特許請求の範囲】
【請求項１】
断熱箱体を仕切って冷蔵室と野菜室とを形成し、これらの各室の開口を扉で開閉自在に塞ぐ冷蔵庫において、
前記冷蔵室と前記野菜室との仕切り及び前記開口の周囲に配設される第１の放熱パイプ部と、
側板の内側に配設される第２の放熱パイプ部と、
前記第２の放熱パイプ部から前記第１の放熱パイプ部の順で冷媒を流す圧縮機とを備えることを特徴とする冷蔵庫。
【発明の詳細な説明】
【０００１】
【発明の属する技術分野】
本発明は、放熱パイプを利用して開口周辺の結露を防止する冷蔵庫に関する。
【０００２】
【従来の技術】
冷蔵庫に関する従来技術としては、特開２００１−１２８４１号公報に記載されたものがある。
【０００３】
この公報に記載のものは、放熱パイプを冷蔵庫の開口に配置して加熱し、この加熱により結露を防止したものである。
【０００４】
また、この公報に記載されたものと同種のものについて、図２に沿って説明する。
【０００５】
３１は扉を外した状態を示す冷凍冷蔵庫で、断熱箱体３２を仕切り３３、３４、３５、３６で仕切って、冷蔵室Ｒ、野菜室Ｖ、製氷室Ｉ、温度切替室Ｓ、冷凍室Ｆを構成している。凝縮器は第１の放熱パイプ３７と第２の放熱パイプとで構成されており、第１の放熱パイプを扉との当接面内側に一筆書きになるように配置していた。また、第２の放熱パイプ３７を、両側板、天板の内側に配置していた（図示せず）。
【０００６】
【発明が解決しようとする課題】
前述のように図２に示す冷蔵庫では、その第１の放熱パイプ３７を一筆書きになるように配置していたので、冷蔵室Ｒと野菜室Ｖとを仕切る仕切り３３に、第１の放熱パイプ３７が往復し、実質的に２本の放熱パイプが設置されている状態と同じ状態になっていた。
【０００７】
この冷蔵室Ｒと野菜室Ｖとを仕切る仕切り３３は、それほど冷却されない室の仕切りのためそれほど温める必要はなく、この第１の放熱パイプ３７からの熱が野菜室Ｖや、冷蔵室Ｒに伝わり、冷蔵庫の効率を下げる要因になっていた。しかし、全く放熱パイプを配置しないと、今度は結露する恐れが生ずる。
【０００８】
この発明は、放熱パイプから庫内への熱の流入を抑えた冷蔵庫を提供するものである。
【０００９】
【課題を解決するための手段】
本発明は、断熱箱体を仕切って冷蔵室と野菜室とを形成し、これらの各室の開口を扉で開閉自在に塞ぐ冷蔵庫において、前記冷蔵室と前記野菜室との仕切り及び前記開口の周囲に配設される第１の放熱パイプ部と、側板の内側に配設される第２の放熱パイプ部と、前記第２の放熱パイプ部から前記第１の放熱パイプ部の順で冷媒を流す圧縮機とを備えることを特徴とする。
【００１０】
また、前記冷蔵室と前記野菜室とを仕切る仕切りには、前記第１の放熱パイプ部を１本のみを取付けたものである。
【００１１】
【発明の実施の形態】
本発明の実施の形態を図面に基づき説明する。
【００１２】
図１は本発明の冷蔵庫における放熱パイプの配置状態を示す説明図である。
【００１３】
この図１に示す１は断熱箱体で、側板２、天板（側板）３、底板（側板）４とで構成されている。
【００１４】
Ｒは約３℃に制御される冷蔵室、Ｖは約５℃に制御される野菜室、Ｉは約−１８℃に制御される製氷室、Ｓは設定温度を３℃〜−１８℃に設定できる温度切替室、Ｆは約−１８℃に制御される冷凍室である。
【００１５】
５は冷蔵室Ｒと野菜室Ｖとを仕切る仕切り、６は野菜室Ｖと製氷室Ｉ及び切替室Ｓとを仕切る仕切り、７は製氷室Ｉと切替室Ｓとを仕切る仕切り、８は製氷室Ｉ及び切替室Ｓと冷凍室Ｆとを仕切る仕切りである。
【００１６】
図示しないが、この冷蔵庫には、圧縮機、凝縮器、減圧装置、蒸発器を順次冷媒管で接続した冷媒回路を備えており、特に凝縮器は第１の放熱パイプ９と第２の放熱パイプ１０とで構成すると共に、例えば、第２の放熱パイプ１０から第１の放熱パイプ９の順で圧縮機からの冷媒が流れるように構成されている。
【００１７】
前記第２の放熱パイプ１０は、側板２及び天板３の内側に配置されていると共に、冷蔵室Ｒを構成する側板２Ａ及び天板３の扉への当接面の近辺に位置するように、その一部の経路を近づけて配置している。すなわち第２の放熱パイプ１０Ａ、１０Ｂは冷蔵室Ｒに近接させて配置している。
【００１８】
また、第１の放熱パイプ９は、底板４、仕切り５、６、７、８の扉に接する当接面の内側に配置されている。この第１の放熱パイプ９は、図に示すように一筆書きのように配置されているので、底板９や、仕切り６、７、８には、放熱パイプ９が往復し、実質的に２本のパイプが配置されていることと同じ状態になっている。
【００１９】
尚、各室Ｒ、Ｖ、Ｉ、Ｓ、Ｆの開口を開閉自在塞ぐ扉を備えているが、図示しない。
【００２０】
このように構成された冷蔵庫では、放熱パイプを第１の放熱パイプ９と第２の放熱パイプ１０とで構成している。
【００２１】
そして、野菜室Ｖ、製氷室Ｉ、温度切替室Ｓ、冷凍室Ｆの開口周辺や仕切り５、６、７、８の前記扉に接する当接面の内側には第１の放熱パイプ９を配置する。また、冷蔵室Ｒの横の側板部分２Ａや天板（側板）３には、その内側であり、且つ、扉に接する当接面に近接した位置に第２の放熱パイプ１０Ａ、１０Ｂを配置している。
【００２２】
このため、野菜室Ｖ、製氷室Ｉ、温度切替室Ｓ、冷凍室Ｆの開口周辺や仕切り６、７、８で扉に当接する結露しやすい当接面には、第１の放熱パイプ９の熱が伝わりやすくして結露を防止できる。また、冷蔵室Ｒと野菜室Ｖの仕切りや冷蔵室Ｒの横の側板部分２Ａや天板３の扉への当接面のように結露しにくい部分には、第２の放熱パイプ１０Ａ、１０Ｂ及び一本の第１の放熱パイプを配置して加熱しにくくしたので、これらの放熱パイプから冷蔵室Ｒに流入する熱を抑えることができると共に、結露も防止することができる。
【００２３】
冷蔵室Ｒと野菜室Ｖとを仕切る仕切り５には、その扉に接する当接面の内側には、第１の放熱パイプ９を１本のみ取付けたもので、比較的結露しにくいこの仕切り５の加熱量を少なくして、この仕切り５から冷蔵室Ｒや野菜室Ｖに流入する熱を抑えることができると共に、結露も防止することができる。
【００２４】
この実施例では、第２の放熱パイプから第１の放熱パイプへと圧縮機からの冷媒を流した例で説明したが、このようにすれば、圧縮機からながれでた温度の高い冷媒が冷蔵庫の側板内の第２の放熱パイプ１０で冷却されてから、第１の放熱パイプに流れるので、この第１放熱パイプから冷蔵室Ｒ、野菜室Ｖ、製氷室Ｉ、温度切替室Ｓ、冷凍室Ｆに流入する熱を抑えることができる。
【００２５】
【発明の効果】
以上説明したように、本発明によれば、冷蔵庫において、放熱パイプを開口周辺に配置された第１の放熱パイプ部と、側板内に配置された第２の放熱パイプ部とで構成し、前記第２の放熱パイプ部から前記第１の放熱パイプ部の順で冷媒を流す圧縮機とを備えているので、圧縮機から流れ出た温度の高い冷媒が冷蔵庫の側板内の第２の放熱パイプ部で冷却されてから、第１の放熱パイプ部に流れるので、この第１放熱パイプから各室Ｒ、Ｖ、Ｉ、Ｓ、Ｆに流入する熱を抑えることができる。
【図面の簡単な説明】
【図１】本発明の冷蔵庫における放熱パイプの配置状態を示す説明図である。
【図２】従来の冷蔵庫における放熱パイプの配置状態を示す説明図である。
【符号の説明】
１　　　　　　　断熱箱体、
２　　　　　　　側板、
３　　　　　　　天板（側板）、
４　　　　　　　底板（側板）、
５　　　　　　　仕切り（冷蔵室と野菜室とを仕切る仕切り）、
６、７、８　　　仕切り、
９　　　　　　　第１の放熱パイプ（第１の放熱パイプ部）、
１０　　　　　　第２の放熱パイプ（第２の放熱パイプ部）、
１０Ａ、１０Ｂ　第２の放熱パイプ（第２の放熱パイプ部）、
Ｒ　　　　　　　冷蔵室、
Ｖ　　　　　　　野菜室、
Ｉ　　　　　　　製氷室。
【図１】
2004037003.tif 000003
【図２】
2004037003.tif 000004